(57)【要約】 【課題】  作業者が自由に横に移動して効率良く作業できる昇降用ロープの支持装置を提供する。【解決手段】  廃棄物処分場内作業に用いる昇降用ロープの支持装置１０であって、廃棄物処分場において法面の天端部や小段部に設置され、昇降用ロープを係止するアーム部１１と、このアーム部１１を横移動自在に支持するガイド部１２とで構成される。ガイド部１２は遮水シート、遮光シート等のシート材を固定するための固定金具１に固定されている。【選択図】    図１
2007075192.tif 000002
【特許請求の範囲】
【請求項１】
廃棄物処分場内作業に用いる昇降用ロープの支持装置であって、
前記廃棄物処分場において法面の天端部や小段部に設置され、前記昇降用ロープを係止するアーム部と、当該アーム部を横移動自在に支持するガイド部とで構成されることを特徴とする昇降用ロープの支持装置。
【請求項２】
前記ガイド部が遮水シート、遮光シート等のシート材を固定する固定金具に固定されていることを特徴とする請求項１に記載の昇降用ロープの支持装置。
【発明の詳細な説明】
【技術分野】
【０００１】
本発明は、廃棄物処分場内作業に用いる昇降用ロープの支持装置に関するものである。
【背景技術】
【０００２】
廃棄物等の埋立最終処分場から発生する浸出水には環境汚染物質が含有する場合があり、この処分場からの汚水が地下浸透して土地や地下水を汚染する危険性が大きいため、処分場には汚水による環境汚染を防止するための適切な遮水工を施行することが法律で義務付けられており、従来より、合成樹脂系や合成ゴム系等で成る遮水シートを埋立最終処分場の全面に敷設して浸出水が場外に流出するのを防止するようにしている。
【０００３】
埋立最終処分場の立地は、山間部の谷間を堰堤等で仕切ったり、平坦部を掘り込んだり、或いは、平坦部に堰堤を設ける等、各種の構造で埋め立て地の造成を行っているが、何れの場合も垂直壁面や斜面部（法面部）を有する構造となっており、これらの法面部に遮水シート、遮光シート等のシート材料が敷設される。そして、敷設したシート材料が長期の使用によりずれ落ちないよう、その端部が固定金具にてコンクリートブロックや地盤等に固定される。
【０００４】
ところで、これらシート材の敷設や溶着等、遮水工の施行作業、或いは、シート材の修理・交換等、遮水工の保守作業の際、作業者は処分場内法面の昇降に安全対策として昇降用ロープを使用している。
従来、この昇降用ロープは地盤（コンクリートブロック、土嚢）等の一箇所に固定してあるため、昇降の際は良いが、作業者が横方向に移動する場合は、その都度作業を中断して地盤に固定されたロープを取り外し、取り外したロープを横方向にずらして再度地盤に固定し直す必要があり、広大な処分場内の作業おいて繰り返し行なわれるこのようなロープの架け替えは極めて面倒な作業で作業効率を著しく悪くしていた。
【発明の開示】
【発明が解決しようとする課題】
【０００５】
本発明は、このような従来の問題に鑑み成されたもので、作業者が自由に横に移動して効率良く作業ができる昇降用ロープの支持装置を提供することを目的としている。
【課題を解決するための手段】
【０００６】
すなわち、請求項１に記載の本発明は、廃棄物処分場内作業に用いる昇降用ロープの支持装置であって、前記廃棄物処分場において法面の天端部や小段部に設置され、前記昇降用ロープを係止するアーム部と、当該アーム部を横移動自在に支持するガイド部とで構成されることを特徴としている。
【０００７】
また、請求項２に記載の本発明は、請求項１に記載の昇降用ロープの支持装置において、前記ガイド部が遮水シート、遮光シート等のシート材を固定する固定金具具に固定されていることを特徴としている。
【発明の効果】
【０００８】
請求項１に記載の本発明によれば、作業者は作業を中断することなく自由に横に移動することができるため、作業効率は大幅に向上する。
【０００９】
また、請求項２に記載の本発明によれば、地盤に固定して使用する既存のシート固定金具を取り付けに利用することにより、昇降用ロープの支持装置の設置が容易に行え、且つ、その構造も簡便化されることから、安価に提供できる。
【発明を実施するための最良の形態】
【００１０】
以下、本発明に係る昇降用ロープの支持装置の実施形態を説明する。
図１は本実施形態の昇降用ロープの支持装置を示し、図２はシート材を固定金具に固定した状態を示し、図３は図１に示す昇降用ロープの支持装置の使用状態を示している。
【００１１】
図１中、符号１はシート材（遮光シート、遮水シート等）の固定金具、符号１０はこの固定金具に１に取り付けた本発明の昇降用ロープの支持装置（以下、ロープ支持装置１０という）である。
【００１２】
固定金具１は、長尺のリップ溝形鋼（Ｃ形鋼）を用いた長さ２ｍ、幅１００ｍｍ程の固定金具本体２の開口部に、屋根形の押え板４と固定ボルト３に螺合されたコ字形の押え金具５を配設し、固定金具本体２の底部２ａと押え金具５との間にシート材を挿入して固定する構造である。
詳しくは、図２に示すように、固定金具本体２の底部２ａをアンカーボルト６により、例えば、コンクリートＣに固定し、遮光シート２０を固定金具本体２の底部２ａと押え金具５との間に押入すると共に、固定ボルト３を締め付けて押え板４を下方よりを押え金具５の上面で押圧することにより、押え板４を扁平状に変形させ、これにより、遮光シート２０の端部２箇所を押え板４の両縁部と固定金具本体２の開口両縁部で挟持した状態で固定するものである。
【００１３】
他方、ロープ支持装置１０は、昇降用ロープを係止するアーム部１１と、このアーム部１１を摺動自在に支持するガイド部１２とで構成される。
【００１４】
ガイド部１２は、上述した固定金具１と同様の長尺のＣ形鋼を用い、これを横置きに設置して、後述するアーム部１１のスライダ１３が走行するレール溝１６としており、その側壁１２ａを上記した固定金具本体２の一側部２ｂに溶接、或いはボルト等にて固定することにより、固定金具１と一体化されている。このガイド部１２は、上記した固定金具本体２の一側部２ｂとほぼ同じサイズの高さ５０ｍｍ、長さ２ｍ程度とされている。
【００１５】
アーム部１１は、長さ２００〜３００ｍｍ、外径６〜８φ程度の金属棒状体（鉄筋）で構成され、先端部に昇降用ロープのフックが係着される係着部１７を設けると共に、他端部には上記したガイド部１２のレール溝１６内を摺動自在に走行するスライダ１３が形成されている。
このスライダ１３としては、図１（ａ）に示すように、厚さ数ｍｍの角状金属平板で成る抜け止め１４の中央に前記アーム部１１との接続部１５を設けて凸状に構成したもの、或いは、図１（ｂ）に示すように、同、金属平板を中央より段状に折曲し、レール溝１６内に位置する一方側を抜け止め１４とし、開口部に位置する他方側を接続部１５とした、より簡便で安価な構造のものを用いている。図１（ａ）、（ｂ）何れの構成も、スライダ１３の接続部１５とアーム部１１の先端部がガイド部１２の開口部において溶接にて接合されることにより、アーム部１１はガイド部１２にて起立状態に支持されるようになっている。アーム部１１の摺動動作において、スライダ１３の抜け止め１４は、固定金具本体２の折り返し部１２ｂに係合している。
【００１６】
以上のように、コンクリートや地盤に固定して使用される既存のシート固定金具１の一部をロープ支持装置１０の取り付けに利用することにより、ロープ支持装置１０の廃棄物処分場への設置が容易に行え、且つ、その取り付け構造も簡便化されることから、安価なロープ支持装置１０として提供できる。
【００１７】
上記構成のロープ支持装置１０は、例えば、図３に示すように、廃棄物処分場Ｇの法面天端部や小段部の平坦部Ａに打設されたコンクリートＣ（或いは地盤等）に固定して使用される。
廃棄物処分場Ｇには遮水シート２１が敷設されており、この遮水シート２１は平坦部Ａに打設したコンクリートＣにて固定されている。そして、平坦部Ａから法面下方に位置する遮水シート２１の上面を覆うように遮光シート２０が敷設され、その上端部が複数のアンカーボルト６によりコンクリートＣに固定された固定金具１にて固定されており、この固定金具１の裏側（法面側）に本発明のロープ支持装置１０が固定されていると共に、アーム部先端の係着部１７に昇降用ロープ１８のフック（図示せず）が係着され、平坦部Ａから法面下方に垂れ下がった状態と成されている。
尚、図示しないが、固定金具１に沿うように支持ロープを架設しておいて、アーム部１１の先端（係着部１７）をこの支持ロープにて摺動自在に支持させるようにしても良い。
【００１８】
従って、廃棄物処分場Ｇ内における遮水シート２１や遮光シート２０等、シート材の敷設やシート相互の溶着（遮水工の施行作業）、或いは、シート材の修理・交換等、遮水工の保守作業の際の安全対策として用いる昇降用ロープ１８をこのロープ支持装置１０にて支持すれば、昇降動作は勿論のこと、作業者は作業を中断することなく自由に横に移動して作業を進めることが可能となり、従来のように、作業者が横移動する度に行っていた極めて面倒なロープの架け替え作業を無くすことができ、よって、作業効率は大幅に向上する。
しかも、ロープ支持装置１０は固定金具１と一体化されているため、ロープ支持装置１０をコンクリートや地盤等に設置・固定するための特別な部材や設置作業は必要ない。
【図面の簡単な説明】
【００１９】
【図１】本発明に係る昇降用ロープの支持装置の構造を示す断面図。
【図２】シート材を固定金具に固定した状態を示す断面図。
【図３】昇降用ロープの支持装置の使用状態を示す断面図。
【符号の説明】
【００２０】
１  固定金具
１０昇降用ロープの支持装置（ロープ支持装置）
１１  アーム部
１２  ガイド部
１８  昇降用ロープ
２０、２１  シート材（遮水シート、遮光シート）
Ｇ  廃棄物処分場
【図１】
2007075192.tif 000003
【図２】
2007075192.tif 000004
【図３】
2007075192.tif 000005